(57)【要約】      （修正有）【課題】下方の床面や作業場所を照らしつつ、上方の天井や壁面をも照らすことができる照明装置を提供する。【解決手段】吊下げられた状態で使用される照明装置１であって、光源３と、光源を覆うシェード５と、を具備し、シェードは、上側開口５２、上側開口に対向する下側開口５３、並びに、上側開口及び下側開口の間を繋ぐ周壁５１、を含み、上側開口の内径Ｄ１及び下側開口の内径Ｄ２が、関係式：Ｄ１＞Ｄ２（但し、Ｄ１及びＤ２は同じ単位とする。）を満たす。【選択図】図２
0003232747.tif 000002
【実用新案登録請求の範囲】
【請求項１】
吊下げられた状態で使用される照明装置であって、
光源と、
前記光源を覆うシェードと、を具備し、
前記シェードは、上側開口、前記上側開口に対向する下側開口、並びに、前記上側開口及び前記下側開口の間を繋ぐ周壁、を含み、
前記上側開口の内径Ｄ１及び前記下側開口の内径Ｄ２が、関係式：Ｄ１＞Ｄ２（但し、Ｄ１及びＤ２は同じ単位とする。）を満たすこと、
を特徴とする照明装置。
【請求項２】
前記上側開口内径Ｄ１と前記下側開口の内径Ｄ２との比が２：１〜４：１であること、
を特徴とする請求項１に記載の照明装置。
【請求項３】
前記周壁が鉛直方向に対して２０度〜４０度傾いていることこと、
を特徴とする請求項１又は２に記載の照明装置。
【考案の詳細な説明】
【技術分野】
【０００１】
本考案は、照明装置に関し、特に屋内で吊下げて使用される照明装置に関する。
【背景技術】
【０００２】
例えば、造営材に取り付けられる吊り部材と、吊り部材に接続される照明本体と、照明本体に装着されるシェードと、を備える照明装置が知られている。例えば下記の特許文献１に記載された照明装置のシェードは、下方に向かうにつれて広がっている。
【先行技術文献】
【特許文献】
【０００３】
【特許文献１】特開２０１６−９６００５号公報
【考案の概要】
【考案が解決しようとする課題】
【０００４】
このような照明装置は、ペンダントライトと呼ばれ、下方の床面や作業場所を直接照らすものである。しかし、この種の照明装置は、天井や壁面などを直接照らすものではなく、部屋全体の明るさを十分に確保できないことがあるなど、機能に限界がある。
【０００５】
そこで、本考案の目的は、下方の床面や作業場所を照らしつつ、上方の天井や壁面をも照らすことができる照明装置を提供することにある。
【課題を解決するための手段】
【０００６】
上記の課題を解決すべく、本考案は、
吊下げられた状態で使用される照明装置であって、
光源と、
前記光源を覆うシェードと、を具備し、
前記シェードは、上側開口、前記上側開口に対向する下側開口、並びに、前記上側開口及び前記下側開口の間を繋ぐ周壁、を含み、
前記上側開口の内径Ｄ１及び前記下側開口の内径Ｄ２が、関係式：Ｄ１＞Ｄ２（但し、Ｄ１及びＤ２は同じ単位とする。）を満たすこと、
を特徴とする照明装置を提供する。
【０００７】
本考案の照明装置においては、前記光源が、前記シェード内部において前記下側開口側又は前記上側開口側のいずれかに寄った高さ位置に配置されてもよく、かかる高さ位置を適宜選択できる構成を有することが好ましい。
【０００８】
また、本考案の照明装置においては、前記上側開口の内径Ｄａと前記下側開口の内径Ｄｂとの比が２：１〜４：１であることが好ましい。
【０００９】
また、本考案の照明装置においては、前記周壁が鉛直方向に対して２５度〜４０度傾いていることが好ましい。
【考案の効果】
【００１０】
本考案によれば、下方の床面や作業場所を照らしつつ、上方の天井や壁面をも照らすことができる照明装置を提供することができる。かかる照明装置によれば、下方及び上方から光が外部に照射され、特に下方は照射範囲が制限されて光が絞られ、かつ上方は照射範囲が広がって光がぼんやり漏れるため、インテリア性の高い照明装置として好適に使用することができる。
【図面の簡単な説明】
【００１１】
【図１】本考案の代表的な実施形態に係る照明装置１の斜視図である。
【図２】図１のＡ−Ａ線断面図である。
【考案を実施するための形態】
【００１２】
以下、本考案に係る照明装置の代表的な実施形態について、図を参照しながら詳細に説明するが、本考案は図示されるものに限られない。また、各図面は本考案を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１３】
説明の便宜上、ＸＹＺ軸を次のように定める。つまり、Ｚ軸を鉛直方向に、Ｘ軸をシェードの周方向であって支持棒５７に沿う方向に、Ｙ軸をＸ軸及びＺ軸に直交する方向に、それぞれ定める。
【００１４】
照明装置１は、例えば屋内で、天井等の設置場所に吊下げられた状態で使用される。照明装置１としては、例えば、紐、チェーン、棒などの吊下具７を介して天井や壁面などから吊下げられるペンダントライトを想定しているが、これに限られない。図１に示すように、照明装置１は、光源３及びシェード５を含む。照明装置１は吊下具７を一構成要素として含んでもよい。
【００１５】
光源３は、シェード５の内側に収容されており、電源（図示せず。）から電力の供給を受けて光を発する。
【００１６】
図２に例示するように、光源３は、電球３１、及び、電球３１を受け入れるソケット３２を含む。電球３１には、白熱電球、蛍光ランプ、発光ダイオード（ＬＥＤ）、有機エレクトロルミネッセンス（有機ＥＬ）などの発光体３３が収容されている。なお、図２において電球３１は球体として表されているが、光源３の形状は球体に限られない。
【００１７】
シェード５は、内側に収容されている光源３を覆っている。シェード５は、例えば樹脂、金属、木材、紙、布などで作製されてよい。シェード５は、光源３からの光を透過してもよいし、透過しなくてもよい。
【００１８】
シェード５は、筒状の周壁５１と、周壁５１の両端に位置する上側開口５２及び下側５３と、を含む。上側開口５２は第１の開口とも称することができ、内径Ｄ１を有する。また、上側開口５２の下方に対向して位置する下側開口５３は第２の開口とも称することができる。
【００１９】
周壁５１は、上側開口５２及び下側開口５３の間を繋いでいる。本実施形態では、周壁５１の内径及び外径は、上側開口５２から下側開口５３に向けて（上端から下端に向けて）徐々に縮小しているが、これに限られない。したがって、光源３からの光は、下方に向かっては特定のエリアにより強く照射され、上方に向かってはより広がりを持って照射される。
【００２０】
ここで光源３とシェード５との関係について述べると、光源３の発光体３３は、シェード５において下側の開口５３側に寄って配置される構成を有することが好ましい。これにより、下方に照射される光の範囲が狭くなり過ぎず、また上方に照射される光の範囲が広がり過ぎない。
【００２１】
シェード５の説明に戻ると、下側開口５３の内径Ｄ２は、上側開口５２の内径Ｄ１よりも小さい。即ち、Ｄ１＞Ｄ２の関係式（但し、Ｄ１及びＤ２は同じ単位とする。）が成り立つ。より具体的には、上側開口５２の内径Ｄ１及び下側開口５３の内径Ｄ２の比Ｄ１：Ｄ２は、概ねＤ１：Ｄ２＝２：１〜４：１となることが好ましい。
【００２２】
また、Ｚ軸に対する周壁５１の傾きαは２０度〜４０度であることが好ましい。周壁５１がこの範囲の開き具合であるとき、下方に照射される光の範囲と、上方に照射される光の範囲と、のバランスが適切となる。上記傾きαは２５度〜３０度であることが更に好ましい。
【００２３】
シェード５は更に、円盤部材５４と、円盤部材５４と周壁５１との間を繋ぐ支持棒５５〜５７を含んでいてもよい。円盤部材５４には、下方側にソケット３２が取り付けられるとともに、上方側に吊下具７が取り付けられている。
【００２４】
上述した構成を有する照明装置１を天井や壁面等から吊るすことで、下方の床面や作業場所には照射範囲を絞った光が照射され、上方の天井等には広がりを持った光が照射される。つまり、照明装置１は、ペンダントライトでありながら間接照明としての要素を兼ね備えており、従来にはないライティング手法により屋内を演出できる。
【００２５】
以上、本考案の一実施形態について図面を参照しつつ説明してきたが、本考案は、これらの実施形態に限定されるものではなく、実用新案登録請求の範囲の記載の精神及び教示を逸脱しない範囲でその他の改良例や変形例が存在する。そして、かかる改良例や変形例は全て本考案の技術的範囲に含まれることは、当業者にとっては容易に理解されるところである。
【００２６】
例えば、本実施形態において上側開口５２及び下側開口５３は円形であるが、これに限られず、矩形、多角形などでもよい。上側開口５２と下側開口５３とで異なる形状であってもよい。また、本実施形態において上側開口５２及び下側開口５３の中心は鉛直方向に整列しているが、鉛直方向からずれていてもよい。
【００２７】
本実施形態においてシェード５の内径は、上端から下端にかけて所定の程度で広がっているが、場所に応じて広がり具合又は狭まり具合が変わってもよい。例えば、シェード５は、鉛直方向の中央付近が膨らむような形状でもよい。
【００２８】
具体的には、本実施形態における周壁５１の内面は略直線状であるが、後述するＤ１及びＤ２の関係式を充足すれば、周壁５１の内面は、例えば階段状や曲線状等の種々の形状を有してもよく、例えば直線状、階段状及び曲線状等の種々の形状を適宜組み合わせて有していてもよい。
【００２９】
また、本実施形態においては、光源として１つの電球３１を使用した例を示しているが、複数個の光源及び／又は発光体を適宜組み合わせて用いてもよい。例えば、照射方向が上方のＬＥＤと照射方向が下方のＬＥＤとを組み合わせた光源であってもよい。
【００３０】
また、本実施形態のシェード５は、円盤部材５４と、円盤部材５４と周壁５１を繋ぐ支持棒５５〜５７を含んでいるが、円盤部材５４は更に大きな内径を有していてもよい。例えば、円盤部材５４の内径が、上側開口５２の内径Ｄ１に近ければ近いほど、上側開口５２から漏れる光が更に弱くなってぼんやりとし、また違った雰囲気を醸し出すことができる。したがって、上側開口５２を覆う別途の略円盤状乃至は環状の蓋体を備えていてもよい。
【符号の説明】
【００３１】
１          照明装置
３          光源
５          シェード
７          吊下具
５１        周壁
５２        上側開口
５３        下側開口
【図１】
0003232747.tif 000003
【図２】
0003232747.tif 000004